(57)【要約】【課題】部品の取り付け、取り外しを繰り返すことなく、コモンモードノイズ及びノーマルモードノイズそれぞれに対するノイズ低減効果を簡易に比較することができ、適したノイズ対策部品を簡易に選択することが可能なノイズ対策用チョークコイルを提供する。【解決手段】ノイズ対策用チョークコイル１は、第１巻芯部１１に巻回された第１巻き線２１、及び第２巻芯部１２に巻回された第２巻き線２２と、第１巻き線２１の一方の端部が接続される第１導通経路切替端子３１と、他方の端部が接続される第２導通経路切替端子３２との間で接続先を切替えて接続可能とされた第１外部電極４１及び第２外部電極４２と、第２巻き線２２の一方の端部が接続される第３導通経路切替端子３３と、他方の端部が接続される第４導通経路切替端子３４との間で接続先を切替えて接続可能とされた第３外部電極４３及び第４外部電極４４とを備える。【選択図】  図１
2016174104.tif 000002
【特許請求の範囲】
【請求項１】
巻芯部を有する磁性体コアと、
前記巻芯部に対をなして巻回された第１巻き線、及び第２巻き線と、
前記第１巻き線の一方の端部が接続される第１導通経路切替端子と、
前記第１巻き線の他方の端部が接続される第２導通経路切替端子と、
前記第１導通経路切替端子と前記第２導通経路切替端子との間で接続先を外部から切替えて接続可能とされた第１外部電極と、
前記第１導通経路切替端子と前記第２導通経路切替端子との間で接続先を外部から切替えて接続可能とされた第２外部電極と、
前記第２巻き線の一方の端部が接続される第３外部電極と、
前記第２巻き線の他方の端部が接続される第４外部電極と、を備えることを特徴とするノイズ対策用チョークコイル。
【請求項２】
巻芯部を有する磁性体コアと、
前記巻芯部に対をなして巻回された第１巻き線、及び第２巻き線と、
前記第１巻き線の一方の端部が接続される第１導通経路切替端子と、
前記第１巻き線の他方の端部が接続される第２導通経路切替端子と、
前記第２巻き線の一方の端部が接続される第３導通経路切替端子と、
前記第２巻き線の他方の端部が接続される第４導通経路切替端子と、
前記第１導通経路切替端子と前記第２導通経路切替端子との間で接続先を外部から切替えて接続可能とされた第１外部電極と、
前記第１導通経路切替端子と前記第２導通経路切替端子との間で接続先を外部から切替えて接続可能とされた第２外部電極と、
前記第３導通経路切替端子と前記第４導通経路切替端子との間で接続先を外部から切替えて接続可能とされた第３外部電極と、
前記第３導通経路切替端子と前記第４導通経路切替端子との間で接続先を外部から切替えて接続可能とされた第４外部電極と、を備えることを特徴とするノイズ対策用チョークコイル。
【請求項３】
前記巻芯部は、対をなして形成された第１巻芯部及び第２巻芯部からなり、
前記第１巻き線は、前記第１巻芯部に巻回され、前記第２巻き線は、前記第２巻芯部に巻回されていることを特徴とする請求項１又は２に記載のノイズ対策用チョークコイル。
【請求項４】
前記磁性体コアは、前記第１巻芯部及び第２巻芯部それぞれの一方の端部同士を接続する第１鍔部と、前記第１巻芯部及び第２巻芯部それぞれの他方の端部同士を接続する第２鍔部と、を有し、
前記第１導通経路切替端子、前記第１外部電極、及び前記第３外部電極は、前記第１鍔部に形成されており、
前記第２導通経路切替端子、前記第２外部電極、及び前記第４外部電極は、前記第２鍔部に形成されていることを特徴とする請求項３に記載のノイズ対策用チョークコイル。
【請求項５】
対をなして形成された第１巻芯部及び第２巻芯部と、前記第１巻芯部及び第２巻芯部それぞれの一方の端部同士を接続する第１鍔部と、前記第１巻芯部及び第２巻芯部それぞれの他方の端部同士を接続する第２鍔部と、を有する磁性体コアと、
前記第１巻芯部に巻回された第１巻き線、及び前記第２巻芯部に巻回された第２巻き線と、
前記第１巻き線の一方の端部が接続される第１導通経路切替端子と、
前記第１巻き線の他方の端部が接続される第２導通経路切替端子と、
前記第２巻き線の一方の端部が接続される第３導通経路切替端子と、
前記第２巻き線の他方の端部が接続される第４導通経路切替端子と、
前記第１導通経路切替端子と前記第２導通経路切替端子との間で接続先を外部から切替えて接続可能とされた第１外部電極と、
前記第１導通経路切替端子と前記第２導通経路切替端子との間で接続先を外部から切替えて接続可能とされた第２外部電極と、
前記第３導通経路切替端子と前記第４導通経路切替端子との間で接続先を外部から切替えて接続可能とされた第３外部電極と、
前記第３導通経路切替端子と前記第４導通経路切替端子との間で接続先を外部から切替えて接続可能とされた第４外部電極と、を備えることを特徴とするノイズ対策用チョークコイル。
【請求項６】
前記第１導通経路切替端子、前記第３導通経路切替端子、前記第１外部電極、及び前記第３外部電極は、前記第１鍔部に形成されており、
前記第２導通経路切替端子、前記第４導通経路切替端子、前記第２外部電極、及び前記第４外部電極は、前記第２鍔部に形成されていることを特徴とする請求項５に記載のノイズ対策用チョークコイル。
【請求項７】
前記第１外部電極と、前記第１導通経路切替端子又は前記第２導通経路切替端子とを接続する、両端部がピン状に形成された第１接続部材と、
前記第２外部電極と、前記第１導通経路切替端子又は前記第２導通経路切替端子とを接続する、両端部がピン状に形成された第２接続部材と、
前記第３外部電極と、前記第３導通経路切替端子又は前記第４導通経路切替端子とを接続する、両端部がピン状に形成された第３接続部材と、
前記第４外部電極と、前記第３導通経路切替端子又は前記第４導通経路切替端子とを接続する、両端部がピン状に形成された第４接続部材と、を備え、
前記第１導通経路切替端子、前記第２導通経路切替端子、前記第３導通経路切替端子、並びに前記第４導通経路切替端子、及び、前記第１外部電極、前記第２外部電極、前記第３外部電極、並びに前記第４外部電極それぞれは、前記第１接続部材、前記第２接続部材、前記第３接続部材、及び前記第４接続部材それぞれを抜き差し可能に、凹状に形成された導電性を有するソケット部が接続されていることを特徴とする請求項５又は６に記載のノイズ対策用チョークコイル。
【請求項８】
前記第１外部電極と、前記第１導通経路切替端子又は前記第２導通経路切替端子とを接続する、両端部がピン状に形成された第１接続部材と、
前記第２外部電極と、前記第１導通経路切替端子又は前記第２導通経路切替端子とを接続する、両端部がピン状に形成された第２接続部材と、
前記第３外部電極と、前記第３導通経路切替端子又は前記第４導通経路切替端子とを接続する、両端部がピン状に形成された第３接続部材と、
前記第４外部電極と、前記第３導通経路切替端子又は前記第４導通経路切替端子とを接続する、両端部がピン状に形成された第４接続部材と、
前記第１鍔部及び第２鍔部の頂面に配設され、前記第１接続部材、前記第２接続部材、前記第３接続部材、及び前記第４接続部材それぞれを抜き差し可能に、凹状に形成された導電性を有するソケット部を有する磁性板と、をさらに備え、
前記第１導通経路切替端子、前記第２導通経路切替端子、前記第３導通経路切替端子、前記第４導通経路切替端子、前記第１外部電極、前記第２外部電極、前記第３外部電極、前記第４外部電極は、それぞれ対応するソケット部と電気的に接続されていることを特徴とする請求項５又は６に記載のノイズ対策用チョークコイル。
【請求項９】
前記第１導通経路切替端子、前記第３導通経路切替端子、前記第１外部電極、前記第３外部電極は、前記第１鍔部の底面に形成され、
前記第２導通経路切替端子、前記第４導通経路切替端子、前記第２外部電極、前記第４外部電極は、前記第２鍔部の底面に形成され、
前記ソケット部は、前記磁性板と前記第１鍔部、及び、前記磁性板と前記第２鍔部を貫通するように形成されていることを特徴とする請求項８に記載のノイズ対策用チョークコイル。
【発明の詳細な説明】
【技術分野】
【０００１】
本発明は、ノイズ対策用チョークコイルに関する。
【背景技術】
【０００２】
電子回路で問題となるノイズは、伝導の仕方（モード）によりノーマルモードノイズ（ディファレンシャルモードノイズ）とコモンモードノイズとに分けられる。例えば電源ラインを流れるノイズの場合、ノーマルモードノイズは、プリント基板の電源ラインを往路、ＧＮＤラインを復路とするノイズであり、電源ラインとＧＮＤラインでノイズの電流の方向がそれぞれ逆向きになる。一方、コモンモードノイズは、プリント基板の電源ラインとＧＮＤラインを共に往路とし、金属シャーシなどプリント基板外の基準ＧＮＤを復路とするノイズであり、電源ラインとＧＮＤラインでノイズの電流の方向は同じ向きになる。
【０００３】
特許文献１には、ノーマルモードノイズとコモンモードノイズのいずれをも有効に低減でき、かつ基本構造を変えることなくノイズ低減特性を変更可能としたノイズフィルタ用チョークコイルが開示されている。より詳細には、このノイズフィルタ用チョークコイルは、磁性体材料からなる２つのＥ形コアによりＥＥ形コアを構成し、中央磁脚にそれぞれ同一巻数のコイルを負荷電流による磁束の方向が互いに同方向になるように巻回し、各磁脚の隙間に所定厚さのシート状磁性体、又はシート状磁性体を２枚の絶縁フィルムで挟んで挿入して所定の磁気結合を得ることにより、ノーマルモードノイズ及びコモンモードノイズのいずれをも有効に低減する。
【先行技術文献】
【特許文献】
【０００４】
【特許文献１】特開平１１−２１９８３２号公報
【発明の概要】
【発明が解決しようとする課題】
【０００５】
ところで、例えば、設計中の電子回路があり、その電子回路でコモンモードノイズが支配的な場合、ノーマルモードノイズに対するノイズ対策を施しても、ノイズ低減効果は得られない。同様に、ノーマルモードノイズが支配的な場合は、コモンモードノイズに対するノイズ対策を施しても、ノイズ低減効果は得られない。
【０００６】
従来、ノイズの状態（コモンモードノイズが支配的なのかノーマルモードノイズが支配的なのか）が不明な場合は、まずノーマルモードチョークコイルを取り付けてノイズを測定し、効果がなければコモンモードチョークコイルに付け替えてノイズを測定するなど、複数回ノイズ対策部品の取り付け、取り外しを行う必要があり、多くの手間と時間を費やしていた。
【０００７】
この課題を解決するために、コモンモードノイズを対策したときと、ノーマルモードノイズを対策したときとで、どちらがより効果的にノイズを対策することができるかを比較し、その結果から、適したノイズ対策部品（ノーマルモードチョークコイル又はコモンモードチョークコイル）を選択・適用することを、できる限り簡易に可能とするノイズ対策用部品が望まれている。
【０００８】
しかしながら、上述した特許文献１記載のノイズフィルタ用チョークコイルによれば、コモンモードノイズに加えてノーマルモードノイズも除去することができるものの、上述したような要望に応えることはできなかった。
【０００９】
本発明は、上記問題点を解消する為になされたものであり、部品の取り付け、取り外しを繰り返すことなく、コモンモードノイズに対するノイズ低減効果、及びノーマルモードノイズに対するノイズ低減効果それぞれを簡易に比較することができ、適したノイズ対策部品を簡易に選択することが可能なノイズ対策用チョークコイルを提供することを目的とする。
【課題を解決するための手段】
【００１０】
本発明に係るノイズ対策用チョークコイルは、巻芯部を有する磁性体コアと、巻芯部に対をなして巻回された第１巻き線、及び第２巻き線と、第１巻き線の一方の端部が接続される第１導通経路切替端子と、第１巻き線の他方の端部が接続される第２導通経路切替端子と、第１導通経路切替端子と第２導通経路切替端子との間で接続先を外部から切替えて接続可能とされた第１外部電極と、第１導通経路切替端子と第２導通経路切替端子との間で接続先を外部から切替えて接続可能とされた第２外部電極と、第２巻き線の一方の端部が接続される第３外部電極と、第２巻き線の他方の端部が接続される第４外部電極とを備えることを特徴とする。
【００１１】
本発明に係るノイズ対策用チョークコイルによれば、第１外部電極と第１導通経路切替端子とを接続するとともに、第２外部電極と第２導通経路切替端子とを接続した場合と、第１外部電極と第２導通経路切替端子とを接続するとともに、第２外部電極と第１導通経路切替端子とを接続した場合とで、第１巻き線に流れる電流の向きを反対にすること、すなわち、第１巻き線に電流が流れることにより生じる磁束の向きを反対にすることができる。そのため、第１外部電極と第１導通経路切替端子又は第２導通経路切替端子との接続、及び第２外部電極と第１導通経路切替端子又は第２導通経路切替端子との接続を外部から切替えるだけで、コモンモードチョークコイルとしてもノーマルモードチョークコイルとしても利用することができる。よって、例えば、まず、コモンモードチョークコイルとしてコモンモードノイズのノイズ低減効果を測定し、その後、接続を切替えてノーマルモードチョークコイルとしてノーマルモードノイズのノイズ低減効果を測定することができる。すなわち、部品（コモンモードチョークコイルとノーマルチョークコイル）を取り替えることなく、どちらがノイズ低減に効くかを測定することができる。その結果、部品の取り付け、取り外しを繰り返すことなく、コモンモードノイズに対するノイズ低減効果、及びノーマルモードノイズに対するノイズ低減効果それぞれを簡易に比較することができ、適したノイズ対策部品を簡易に選択することが可能となる。
【００１２】
本発明に係るノイズ対策用チョークコイルは、巻芯部を有する磁性体コアと、巻芯部に対をなして巻回された第１巻き線、及び第２巻き線と、第１巻き線の一方の端部が接続される第１導通経路切替端子と、第１巻き線の他方の端部が接続される第２導通経路切替端子と、第２巻き線の一方の端部が接続される第３導通経路切替端子と、第２巻き線の他方の端部が接続される第４導通経路切替端子と、第１導通経路切替端子と第２導通経路切替端子との間で接続先を外部から切替えて接続可能とされた第１外部電極と、第１導通経路切替端子と第２導通経路切替端子との間で接続先を外部から切替えて接続可能とされた第２外部電極と、第３導通経路切替端子と第４導通経路切替端子との間で接続先を外部から切替えて接続可能とされた第３外部電極と、第３導通経路切替端子と第４導通経路切替端子との間で接続先を外部から切替えて接続可能とされた第４外部電極とを備えることを特徴とする。
【００１３】
本発明に係るノイズ対策用チョークコイルによれば、第１導通経路切替端子、第２導通経路切替端子と、第１外部電極、第２外部電極との接続状態、及び、第３導通経路切替端子、第４導通経路切替端子と、第３外部電極、第４外部電極との接続状態それぞれを切り替えることにより、第１巻き線に流れる電流の向き及び第２巻き線に流れる電流の向きを任意に切り替えること、すなわち、第１巻き線に電流が流れることにより生じる磁束の向き及び第２巻き線に電流が流れることにより生じる磁束の向きを任意に切り替えることができる。そのため、第１外部電極と第１導通経路切替端子又は第２導通経路切替端子との接続、第２外部電極と第１導通経路切替端子又は第２導通経路切替端子との接続、第３外部電極と第３導通経路切替端子又は第４導通経路切替端子との接続、及び第４外部電極と第３導通経路切替端子又は第４導通経路切替端子との接続を外部から切替えるだけで、コモンモードチョークコイルとしてもノーマルモードチョークコイルとしても利用することができる。よって、例えば、まず、コモンモードチョークコイルとしてコモンモードノイズのノイズ低減効果を測定し、その後、接続を切替えてノーマルモードチョークコイルとしてノーマルモードノイズのノイズ低減効果を測定することができる。すなわち、部品（コモンモードチョークコイルとノーマルチョークコイル）を取り替えることなく、コモンモードノイズに対するノイズ低減効果、及びノーマルモードノイズに対するノイズ低減効果それぞれを簡易に比較することができ、適したノイズ対策部品を簡易に選択することが可能となる。
【００１４】
なお、本発明に係るノイズ対策用チョークコイルでは、上記巻芯部が、対をなして形成された第１巻芯部及び第２巻芯部からなり、第１巻き線が第１巻芯部に巻回され、第２巻き線が第２巻芯部に巻回されていることが好ましい。
【００１５】
また、本発明に係るノイズ対策用チョークコイルでは、磁性体コアが、第１巻芯部及び第２巻芯部それぞれの一方の端部同士を接続する第１鍔部と、第１巻芯部及び第２巻芯部それぞれの他方の端部同士を接続する第２鍔部とを有し、第１導通経路切替端子、第１外部電極、及び第３外部電極が、第１鍔部に形成されており、第２導通経路切替端子、第２外部電極、及び第４外部電極が、第２鍔部に形成されていることが好ましい。
【００１６】
本発明に係るノイズ対策用チョークコイルは、対をなして形成された第１巻芯部及び第２巻芯部と、第１巻芯部及び第２巻芯部それぞれの一方の端部同士を接続する第１鍔部と、第１巻芯部及び第２巻芯部それぞれの他方の端部同士を接続する第２鍔部とを有する磁性体コアと、第１巻芯部に巻回された第１巻き線、及び第２巻芯部に巻回された第２巻き線と、第１巻き線の一方の端部が接続される第１導通経路切替端子と、第１巻き線の他方の端部が接続される第２導通経路切替端子と、第２巻き線の一方の端部が接続される第３導通経路切替端子と、第２巻き線の他方の端部が接続される第４導通経路切替端子と、第１導通経路切替端子と第２導通経路切替端子との間で接続先を外部から切替えて接続可能とされた第１外部電極と、第１導通経路切替端子と第２導通経路切替端子との間で接続先を外部から切替えて接続可能とされた第２外部電極と、第３導通経路切替端子と第４導通経路切替端子との間で接続先を外部から切替えて接続可能とされた第３外部電極と、第３導通経路切替端子と第４導通経路切替端子との間で接続先を外部から切替えて接続可能とされた第４外部電極とを備えることを特徴とする。
【００１７】
本発明に係るノイズ対策用チョークコイルによれば、第１導通経路切替端子、第２導通経路切替端子と、第１外部電極、第２外部電極との接続状態、及び、第３導通経路切替端子、第４導通経路切替端子と、第３外部電極、第４外部電極との接続状態それぞれを切り替えることにより、第１巻き線に流れる電流の向き及び第２巻き線に流れる電流の向きを任意に切り替えること、すなわち、第１巻き線に電流が流れることにより生じる磁束の向き及び第２巻き線に電流が流れることにより生じる磁束の向きを任意に切り替えることができる。そのため、第１外部電極と第１導通経路切替端子又は第２導通経路切替端子との接続、第２外部電極と第１導通経路切替端子又は第２導通経路切替端子との接続、第３外部電極と第３導通経路切替端子又は第４導通経路切替端子との接続、及び第４外部電極と第３導通経路切替端子又は第４導通経路切替端子との接続を外部から切替えるだけで、コモンモードチョークコイルとしてもノーマルモードチョークコイルとしても利用することができる。よって、例えば、まず、コモンモードチョークコイルとしてコモンモードノイズのノイズ低減効果を測定し、その後、接続を切替えてノーマルモードチョークコイルとしてノーマルモードノイズのノイズ低減効果を測定することができる。すなわち、部品（コモンモードチョークコイルとノーマルチョークコイル）を取り替えることなく、コモンモードノイズに対するノイズ低減効果、及びノーマルモードノイズに対するノイズ低減効果それぞれを簡易に比較することができ、適したノイズ対策部品を簡易に選択することが可能となる。
【００１８】
なお、本発明に係るノイズ対策用チョークコイルでは、第１導通経路切替端子、第１外部電極、第３導通経路切替端子、及び第３外部電極が、第１鍔部に形成されており、第２導通経路切替端子、第２外部電極、第４導通経路切替端子、及び第４外部電極が、第２鍔部に形成されていることが好ましい。
【００１９】
このようにすれば、第１鍔部、及び第２鍔部を有効に活用して、すなわち、部品のサイズを大きくすることなく、簡便に接続形態を切り替えることが可能となる。
【００２０】
本発明に係るノイズ対策用チョークコイルは、第１外部電極と第１導通経路切替端子又は第２導通経路切替端子とを接続する、両端部がピン状に形成された第１接続部材と、第２外部電極と第１導通経路切替端子又は第２導通経路切替端子とを接続する、両端部がピン状に形成された第２接続部材と、第３外部電極と第３導通経路切替端子又は第４導通経路切替端子とを接続する、両端部がピン状に形成された第３接続部材と、第４外部電極と第３導通経路切替端子又は第４導通経路切替端子とを接続する、両端部がピン状に形成された第４接続部材とを備え、第１導通経路切替端子、第２導通経路切替端子、第３導通経路切替端子、並びに第４導通経路切替端子、及び、第１外部電極、第２外部電極、第３外部電極、並びに第４外部電極それぞれに、第１接続部材、第２接続部材、第３接続部材、及び第４接続部材それぞれを抜き差し可能に、凹状に形成された導電性を有するソケット部が接続されていることが好ましい。
【００２１】
このようにすれば、両端部がピン状に形成された第１〜第４接続部材それぞれを、凹状に形成された導電性を有するソケット部に抜き差しすることにより、第１導通経路切替端子、第２導通経路切替端子と、第１外部電極、第２外部電極との接続状態、及び、第３導通経路切替端子、第４導通経路切替端子と、第３外部電極、第４外部電極との接続状態それぞれを切り替えることができる。よって、より簡便に、第１巻き線に流れる電流の向き及び第２巻き線に流れる電流の向きを任意に切り替えること、すなわち、第１巻き線に電流が流れることにより生じる磁束の向き及び第２巻き線に電流が流れることにより生じる磁束の向きを任意に切り替えることができる。
【００２２】
本発明に係るノイズ対策用チョークコイルは、第１外部電極と第１導通経路切替端子又は第２導通経路切替端子とを接続する、両端部がピン状に形成された第１接続部材と、第２外部電極と第１導通経路切替端子又は第２導通経路切替端子とを接続する、両端部がピン状に形成された第２接続部材と、第３外部電極と第３導通経路切替端子又は第４導通経路切替端子とを接続する、両端部がピン状に形成された第３接続部材と、第４外部電極と第３導通経路切替端子又は第４導通経路切替端子とを接続する、両端部がピン状に形成された第４接続部材と、第１鍔部及び第２鍔部の頂面に配設され、第１接続部材、第２接続部材、第３接続部材、及び第４接続部材それぞれを抜き差し可能に、凹状に形成された導電性を有するソケット部を有する磁性板とをさらに備え、第１導通経路切替端子、第２導通経路切替端子、第３導通経路切替端子、第４導通経路切替端子、第１外部電極、第２外部電極、第３外部電極、第４外部電極が、それぞれ対応するソケット部と電気的に接続されていることが好ましい。
【００２３】
このようにすれば、上述したように接続状態を切り替え可能としつつ、第１鍔部及び第２鍔部と磁性板とで閉磁路が構成されるため、インピーダンスの周波数特性が良くなり、より効率的にノイズを除去することが可能となる。
【００２４】
本発明に係るノイズ対策用チョークコイルでは、第１導通経路切替端子、第３導通経路切替端子、第１外部電極、第３外部電極が、第１鍔部の底面に形成され、第２導通経路切替端子、第４導通経路切替端子、第２外部電極、第４外部電極が、第２鍔部の底面に形成され、ソケット部が、磁性板と第１鍔部、及び、磁性板と第２鍔部を貫通するように形成されていることが好ましい。
【００２５】
このようにすれば、第１鍔部、及び第２鍔部を有効に活用して、すなわち、部品のサイズを大きくすることなく、簡便かつ確実に接続形態を切り替えることが可能となる。
【発明の効果】
【００２６】
本発明によれば、部品の取り付け、取り外しを繰り返すことなく、コモンモードノイズに対するノイズ低減効果、及びノーマルモードノイズに対するノイズ低減効果それぞれを簡易に比較することができ、適したノイズ対策部品を簡易に選択することが可能となる。
【図面の簡単な説明】
【００２７】
【図１】第１実施形態に係るノイズ対策用チョークコイルの構成を示す平面図である。
【図２】図１のＩＩ−ＩＩ線に沿った断面図である。
【図３】第１実施形態に係るノイズ対策用チョークコイルをコモンモードチョークコイルとして利用する場合の接続状態、及び、その場合の等価回路を示す図である。
【図４】第１実施形態に係るノイズ対策用チョークコイルをノーマルモードチョークコイルとして利用する場合の接続状態、及び、その場合の等価回路を示す図である。
【図５】第１実施形態に係るノイズ対策用チョークコイルをコモンモードチョークコイルとして利用する場合のコモンモードノイズ及びノーマルモードノイズの低減効果（シミュレーション結果）を示す図である。
【図６】第１実施形態に係るノイズ対策用チョークコイルをノーマルモードチョークコイルとして利用する場合のコモンモードノイズ及びノーマルモードノイズの低減効果（シミュレーション結果）を示す図である。
【図７】第２実施形態に係るノイズ対策用チョークコイルの構成（コモンモードチョークコイルとして利用する場合）を示す平面図である。
【図８】図７のＶＩＩＩ−ＶＩＩＩ線に沿った断面図である。
【図９】第２実施形態に係るノイズ対策用チョークコイルの構成（ノーマルモードチョークコイルとして利用する場合）を示す平面図である。
【発明を実施するための形態】
【００２８】
以下、図面を参照して本発明の好適な実施形態について詳細に説明する。なお、各図において、同一要素には同一符号を付して重複する説明を省略する。
【００２９】
（第１実施形態）
まず、図１及び図２を併せて用いて、第１実施形態に係るノイズ対策用チョークコイル１の構成について説明する。図１は、ノイズ対策用チョークコイル１の構成を示す平面図である。また、図２は、図１のＩＩ−ＩＩ線に沿った断面図である。なお、図１では、理解を容易にするために、磁性板（天板）５０を取り付けた状態（上段）と磁性板５０を取り外した状態（下段）を併せて示した。また、図１，２では、巻き線構造の理解を容易にするため、巻き線の表示数を減らして示した。
【００３０】
ノイズ対策用チョークコイル１は、例えば、Ｍｎ−Ｚｎ系フェライトやＮｉ−Ｚｎ系フェライト等のフェライトで形成された磁性体コア１０を備えている。磁性体コア１０は、対をなして平行に配置された円柱状の第１巻芯部１１及び円柱状の第２巻芯部１２と、第１巻芯部１１及び第２巻芯部１２それぞれの一方の端部同士を接続する略直方体状の第１鍔部１３と、第１巻芯部１１及び第２巻芯部１２それぞれの他方の端部同士を接続する略直方体状の第２鍔部１４とを有して構成されている。
【００３１】
磁性体コア１０を構成する第１巻芯部１１には、第１巻き線２１が巻回されている。同様に、磁性体コア１０を構成する第２巻芯部１２には、第２巻き線２２が巻回されている。第１巻き線２１、第２巻き線２２それぞれは、例えば、銅線を絶縁膜で被覆して成るラインである。ここで、第１巻き線２１と第２巻き線２２との巻回方向は、互いに反対方向となっている。すなわち、詳細は後述するが、例えば、第１導通経路切替端子３１（ソケット６１）と第１外部電極４１（ソケット６２）とを接続し、第２導通経路切替端子３２（ソケット６３）と第２外部電極４２（ソケット６４）とを接続し、第３導通経路切替端子３３（ソケット６５）と第３外部電極４３（ソケット６６）とを接続し、第４導通経路切替端子３４（ソケット６７）と第４外部電極４４（ソケット６８）とを接続した場合には、第１巻き線２１に流れる電流により生じる磁束の向きと、第２巻き線２２に流れる電流により生じる磁束の向きとが同じになり、ノイズ対策用チョークコイル１はコモンモードチョークコイルとなる。なお、第１巻き線２１と第２巻き線２２とは、互いに同方向に巻回されていてもよい。ただし、この場合には、上述したように接続したときに、第１巻き線２１に流れる電流により生じる磁束の向きと、第２巻き線２２に流れる電流により生じる磁束の向きとが逆になり、ノーマルモードチョークコイルとなる。
【００３２】
磁性体コア１０を構成する第１鍔部１３の底面の側方後端部には、導電性を有する第１導通経路切替端子３１、及び第３導通経路切替端子３３が形成されている。第１導通経路切替端子３１には、第１巻き線２１の一方の端部が接続されている。また、第３導通経路切替端子３３には、第２巻き線２２の一方の端部が接続されている。なお、第１巻き線２１の一方の端部は、後述するソケット部（差込部）６１に直接接続してもよい。同様に、第２巻き線２２の一方の端部は、後述するソケット部６５に直接接続してもよい。
【００３３】
同様に、磁性体コア１０を構成する第２鍔部１４の底面の側方後端部には、導電性を有する第２導通経路切替端子３２、及び第４導通経路切替端子３４が形成されている。第２導通経路切替端子３２には、第１巻き線２１の他方の端部が接続されている。また、第４導通経路切替端子３４には、第２巻き線２２の他方の端部が接続されている。なお、第１巻き線２１の他方の端部は、後述するソケット部（差込部）６３に直接接続してもよい。同様に、第２巻き線２２の他方の端部は、後述するソケット部６７に直接接続してもよい。なお、第１〜第４導通経路切替端子３１〜３４は、例えば、金属メッキや、金属ペーストの焼付け等により形成される。
【００３４】
第１鍔部１３の底面の側方前端部には、第１外部電極４１、及び第３外部電極４３が形成されている。なお、詳細は後述するが、第１外部電極４１は、第１導通経路切替端子３１と第２導通経路切替端子３２との間で接続先を外部から切替えて接続可能とされている。同様に、第３外部電極４３は、第３導通経路切替端子３３と第４導通経路切替端子３４との間で接続先を外部から切替えて接続可能とされている。
【００３５】
同様に、第２鍔部１４の底面の側方前端部には、第２外部電極４２、及び第４外部電極４４が形成されている。なお、詳細は後述するが、第２外部電極４２は、第１導通経路切替端子３１と第２導通経路切替端子３２との間で接続先を外部から切替えて接続可能とされている。同様に、第４外部電極４４は、第３導通経路切替端子３３と第４導通経路切替端子３４との間で接続先を外部から切替えて接続可能とされている。なお、第１〜第４外部電極４１〜４４は、例えば、金属メッキや、金属ペーストの焼付け等により形成される。
【００３６】
第１鍔部１３及び第２鍔部１４の頂面には、矩形の薄板状に形成された磁性板（天板）５０が配設されている。磁性板（天板）５０は、例えば、Ｍｎ−Ｚｎ系フェライトやＮｉ−Ｚｎ系フェライト等のフェライトで形成される。
【００３７】
磁性板５０には、第１接続部材７１、第２接続部材７２、第３接続部材７３、及び第４接続部材７４それぞれを抜き差し（挿抜）可能に、凹状に形成された導電性を有する８個の円筒状のソケット部（差込部）６１〜６８が形成されている。また、第１導通経路切替端子３１、第２導通経路切替端子３２、第３導通経路切替端子３３、並びに第４導通経路切替端子３４、及び、第１外部電極４１、第２外部電極４２、第３外部電極４３、並びに第４外部電極４４それぞれには、ソケット部６１〜６８の端部が接続されている。すなわち、ソケット部６１，６２，６５，６６それぞれは、磁性板５０と第１鍔部１３とを貫通するように形成されている。同様に、ソケット部６３，６４，６７，６８それぞれは、磁性板５０と第２鍔部１４とを貫通するように形成されている。
【００３８】
第１接続部材７１Ａは、ソケット部６１，６２に挿入可能なように、両端部がピン状に形成されており、第１外部電極４１と第１導通経路切替端子３１とを接続するものである。
【００３９】
第２接続部材７２Ａは、ソケット部６３，６４に挿入可能なように、両端部がピン状に形成されており、第２外部電極４２と第２導通経路切替端子３２とを接続するものである。
【００４０】
第３接続部材７３Ａは、ソケット部６５，６６に挿入可能なように、両端部がピン状に形成されており、第３外部電極４３と第３導通経路切替端子３３とを接続するものである。第３接続部材７３Ｂは、ソケット部６６，６７に挿入可能なように、両端部がピン状に形成されており、第３外部電極４３と第４導通経路切替端子３４とを接続するものである（図４参照）。
【００４１】
第４接続部材７４Ａは、ソケット部６７，６８に挿入可能なように、両端部がピン状に形成されており、第４外部電極４４と第４導通経路切替端子３４とを接続するものである。第４接続部材７４Ｂは、ソケット部６７，６６に挿入可能なように、両端部がピン状に形成されており、第４外部電極４４と第３導通経路切替端子３３とを接続するものである（図４参照）。
【００４２】
なお、第１接続部材７１Ａ、第２接続部材７２Ａ、第３接続部材７３Ａ，７３Ｂ、及び第４接続部材７４Ａ，７４Ｂそれぞれは、短絡（ショート）しないように両端部以外は樹脂等の絶縁体で被覆されており、かつ、配線時に重なり合わないようにフォーミングされていることが好ましい。
【００４３】
上述したように構成されることにより、第１〜第４導通経路切替端子３１〜３４と第１〜第４外部電極４１〜４４との接続状態を切り替えることにより、第１巻き線２１に流れる電流の向き及び第２巻き線２２に流れる電流の向き、すなわち、第１巻き線２１に流れる電流により生じる磁束の向き及び第２巻き線２２に流れる電流により生じる磁束の向きを任意に切り替えることができる。よって、コモンモードチョークコイルとノーマルモードチョークコイルとを切り替えることができる。
【００４４】
より具体的には、図３に示されるように、第１導通経路切替端子３１（ソケット６１）と第１外部電極４１（ソケット６２）とを第１接続部材７１Ａで接続し、第２導通経路切替端子３２（ソケット６３）と第２外部電極４２（ソケット６４）とを第２接続部材７２Ａで接続し、第３導通経路切替端子３３（ソケット６５）と第３外部電極４３（ソケット６６）とを第３接続部材７３Ａで接続し、第４導通経路切替端子３４（ソケット６７）と第４外部電極４４（ソケット６８）とを第４接続部材７２Ａで接続した場合には、第１巻き線２１に流れる電流により生じる磁束の向きと、第２巻き線２２に流れる電流により生じる磁束の向きとが同じになり、ノイズ対策用チョークコイル１はコモンモードチョークコイルとなる。ここで、図３は、ノイズ対策用チョークコイル１をコモンモードチョークコイルとして利用する場合の接続状態（上段）、及び、その場合の等価回路（下段）を示す図である。
【００４５】
一方、図４に示されるように、第１導通経路切替端子３１（ソケット６１）と第１外部電極４１（ソケット６２）とを第１接続部材７１Ａで接続し、第２導通経路切替端子３２（ソケット６３）と第２外部電極４２（ソケット６４）とを第２接続部材７２Ａで接続し、第３導通経路切替端子３３（ソケット６５）と第４外部電極４４（ソケット６８）とを第４接続部材７４Ｂで接続し、第４導通経路切替端子３４（ソケット６７）と第３外部電極４３（ソケット６６）とを第３接続部材７３Ｂで接続した場合には、第１巻き線２１に流れる電流により生じる磁束の向きと、第２巻き線２２に流れる電流により生じる磁束の向きとが逆になり、ノイズ対策用チョークコイル１はノーマルモードチョークコイルとなる。ここで、図４は、ノイズ対策用チョークコイル１をノーマルモードチョークコイルとして利用する場合の接続状態（上段）、及び、その場合の等価回路（下段）を示す図である。
【００４６】
なお、第１導通経路切替端子３１（ソケット６１）と第２外部電極４２（ソケット６）とを接続し、第２導通経路切替端子３２（ソケット６３）と第１外部電極４１（ソケット６２）とを接続し、第３導通経路切替端子３３（ソケット６５）と第３外部電極４３（ソケット６６）とを接続し、第４導通経路切替端子３４（ソケット６７）と第４外部電極４４（ソケット６８）とを接続した場合にも、ノイズ対策用チョークコイル１をノーマルモードチョークコイルとして利用することができる。
【００４７】
このように、第１導通経路切替端子３１、第２導通経路切替端子３２と、第１外部電極４１、第２外部電極４２との接続状態、及び、第３導通経路切替端子３３、第４導通経路切替端子３４と、第３外部電極４３、第４外部電極４４との接続状態それぞれを切り替えることにより、第１巻き線２１に流れる電流の向き及び第２巻き線２２に流れる電流の向き、すなわち、第１巻き線２１に流れる電流により生じる磁束の向き及び第２巻き線２２に流れる電流により生じる磁束の向きを任意に切り替えることができる。そのため、第１外部電極４１と第１導通経路切替端子３１又は第２導通経路切替端子３２との接続、第２外部電極４２と第１導通経路切替端子３１又は第２導通経路切替端子３２との接続、第３外部電極４３と第３導通経路切替端子３３又は第４導通経路切替端子３４との接続、及び第４外部電極４４と第３導通経路切替端子３３又は第４導通経路切替端子３４との接続を外部から切替えるだけで、ノイズ対策用チョークコイル１をコモンモードチョークコイルとしてもノーマルモードチョークコイルとしても利用することができる。
【００４８】
ここで、ノイズ対策用チョークコイル１が、第１〜第４導通経路切替端子３１〜３４と第１〜第４外部電極４１〜４４との接続状態を切り替えることにより、コモンモードチョークコイルとしてもノーマルモードチョークコイルとしても機能することを確認するために、コモンモードの透過特性Ｓｃｃ２１とノーマルモードの透過特性Ｓｄｄ２１のシミュレーションを行った。そこで、図５、図６を併せて参照しつつ、ノイズ対策用チョークコイル１のコモンモード透過特性Ｓｃｃ２１とノーマルモード透過特性Ｓｄｄ２１について、シミュレーション結果を示して説明する。
【００４９】
まず、上述した図３に示されるように、第１導通経路切替端子３１（ソケット６１）と第１外部電極４１（ソケット６２）とを接続し、第２導通経路切替端子３２（ソケット６３）と第２外部電極４２（ソケット６４）とを接続し、第３導通経路切替端子３３（ソケット６５）と第３外部電極４３（ソケット６６）とを接続し、第４導通経路切替端子３４（ソケット６７）と第４外部電極４４（ソケット６８）とを接続した場合、すなわち、ノイズ対策用チョークコイル１をコモンモードチョークコイルとして利用するように接続した場合のシミュレーション結果を図５に示す。図５では、上段にノーマルモード透過特性Ｓｄｄ２１の結果を示す。このグラフの横軸は周波数（ＧＨｚ）であり、縦軸はノーマルモード透過特性Ｓｄｄ２１（ｄＢ）である。同様に、下段にコモンモード透過特性Ｓｃｃ２１の結果を示す。このグラフの横軸は周波数（ＧＨｚ）であり、縦軸はコモンモード透過特性Ｓｃｃ２１（ｄＢ）である。
【００５０】
この場合、図５の下段に示されるように、コモンモードのノイズは低減させ、図５の上段に示されるように、ノーマルモードの信号は通過させることが確認された。すなわち、ノーマルモードチョークコイルとして機能することが確認された。
【００５１】
次に、上述した図４に示されるように、第１導通経路切替端子３１（ソケット６１）と第１外部電極４１（ソケット６２）とを接続し、第２導通経路切替端子３２（ソケット６３）と第２外部電極４２（ソケット６４）とを接続し、第３導通経路切替端子３３（ソケット６５）と第４外部電極４４（ソケット６８）とを接続し、第４導通経路切替端子３４（ソケット６７）と第３外部電極４３（ソケット６６）とを接続した場合、すなわち、ノイズ対策用チョークコイル１をノーマルモードチョークコイルとして利用するように接続した場合のシミュレーション結果を図６に示す。図６では、上段にノーマルモード透過特性Ｓｄｄ２１の結果を示す。このグラフの横軸は周波数（ＧＨｚ）であり、縦軸はノーマルモード透過特性Ｓｄｄ２１（ｄＢ）である。同様に、下段にコモンモード透過特性Ｓｃｃ２１の結果を示す。このグラフの横軸は周波数（ＧＨｚ）であり、縦軸はコモンモード透過特性Ｓｃｃ２１（ｄＢ）である。
【００５２】
この場合、図６の下段に示されるように、コモンモードは通過させ、図６の上段に示されるように、ノーマルモードの高周波ノイズは低減させることが確認された。すなわち、ノーマルモードチョークコイルとして機能することが確認された。
【００５３】
以上、説明したように、本実施形態によれば、第１導通経路切替端子３１、第２導通経路切替端子３２と、第１外部電極４１、第２外部電極４２との接続状態、及び、第３導通経路切替端子３３、第４導通経路切替端子３４と、第３外部電極４３、第４外部電極４４との接続状態それぞれを切り替えることにより、第１巻き線２１に流れる電流の向き及び第２巻き線２２に流れる電流の向き、すなわち、第１巻き線２１に流れる電流により生じる磁束の向き及び第２巻き線２２に流れる電流により生じる磁束の向きを任意に切り替えることができる。そのため、第１外部電極４１と第１導通経路切替端子３１又は第２導通経路切替端子３２との接続、第２外部電極４２と第１導通経路切替端子３１又は第２導通経路切替端子３２との接続、第３外部電極４３と第３導通経路切替端子３３又は第４導通経路切替端子３４との接続、及び第４外部電極４４と第３導通経路切替端子３３又は第４導通経路切替端子３４との接続を外部から切替えるだけで、コモンモードチョークコイルとしてもノーマルモードチョークコイルとしても利用することができる。よって、例えば、まず、コモンモードチョークコイルとしてコモンモードノイズのノイズ低減効果を測定し、その後、接続を切替えてノーマルモードチョークコイルとしてノーマルモードノイズのノイズ低減効果を測定することができる。すなわち、部品（コモンモードチョークコイルとノーマルチョークコイル）を取り替えることなく、どちらがノイズ低減に効くかを測定することができる。その結果、部品の取り付け、取り外しを繰り返すことなく、コモンモードノイズに対するノイズ低減効果、及びノーマルモードノイズに対するノイズ低減効果それぞれを簡易に比較することができ、適したノイズ対策部品を簡易に選択することが可能となる。
【００５４】
特に、本実施形態によれば、両端部がピン状に形成された第１〜第４接続部材７１Ａ〜７４Ａ，Ｂそれぞれを、ソケット部６１〜６８に抜き差しすることにより、第１導通経路切替端子３１、第２導通経路切替端子３２と、第１外部電極４１、第２外部電極４２との接続状態、及び、第３導通経路切替端子３３、第４導通経路切替端子３４と、第３外部電極４３、第４外部電極４４との接続状態それぞれを切り替えることができる。よって、より簡便に、コモンモードチョークコイルとノーマルモードチョークコイルとを切り替えることができる。
【００５５】
また、本実施形態によれば、第１鍔部１３及び第２鍔部１４の頂面に配設され、第１接続部材７１Ａ、第２接続部材７２Ａ、第３接続部材７３Ａ，Ｂ、及び第４接続部材７４Ａ，Ｂそれぞれを抜き差し可能に形成されたソケット部６１〜６８を有する磁性板（天板）５０をさらに備えている。そのため、上述したように接続状態を切り替え可能としつつ、第１鍔部１３及び第２鍔部１４と磁性板５０とで閉磁路が構成されるため、インピーダンスの周波数特性が良くなり、より効率的にノイズを除去することが可能となる。
【００５６】
本実施形態によれば、第１導通経路切替端子３１、第３導通経路切替端子３３、第１外部電極４１、及び第３外部電極４３が、第１鍔部１３の底面に形成されており、第２導通経路切替端子３２、第４導通経路切替端子３４、第２外部電極４２、及び第４外部電極４４が、第２鍔部１４の底面に形成されている。また、ソケット部６１〜６８が、磁性板５０と第１鍔部１３、及び、磁性板５０と第２鍔部１４を貫通するように形成されている。そのため、第１鍔部１３、及び第２鍔部１４を有効に活用して、すなわち、部品のサイズを大きくすることなく、簡便かつ確実に接続形態を切り替えることが可能となる。
【００５７】
（第２実施形態）
上述した第１実施形態に係るノイズ対策用チョークコイル１では、第１鍔部１３及び第２鍔部１４それぞれの頂面上に配設された磁性板（天板）５０を備えていたが、磁性板５０を備えていない構成としてもよい。
【００５８】
そこで、図７〜９を併せて用いて第２実施形態に係るノイズ対策用チョークコイル２について説明する。ここでは、上述した第１実施形態と同一・同様な構成については説明を簡略化又は省略し、異なる点を主に説明する。ここで、図７は、ノイズ対策用チョークコイル２の構成（コモンモードチョークコイルとして利用する場合）を示す平面図である。図８は、図７のＶＩＩＩ−ＶＩＩＩ線に沿った断面図である。また、図９は、ノイズ対策用チョークコイル２の構成（ノーマルモードチョークコイルとして利用する場合）を示す平面図である。なお、図７〜９において第１実施形態と同一又は同等の構成要素については同一の符号が付されている。
【００５９】
ノイズ対策用チョークコイル２は、磁性板（天板）５０を備えていない点で、上述した第１実施形態に係るノイズ対策用チョークコイル１と異なっている。その他の構成は、上述したノイズ対策用チョークコイル１と同一又は同様であるので、ここでは詳細な説明を省略する。
【００６０】
本実施形態によれば、上記第１実施形態と同様に、第１導通経路切替端子３１、第２導通経路切替端子３２と、第１外部電極４１、第２外部電極４２との接続状態、及び、第３導通経路切替端子３３、第４導通経路切替端子３４と、第３外部電極４３、第４外部電極４４との接続状態それぞれを切り替えることにより、第１巻き線２１に流れる電流の向き及び第２巻き線２２に流れる電流の向き、すなわち、第１巻き線２１に流れる電流により生じる磁束の向き及び第２巻き線２２に流れる電流により生じる磁束の向きを任意に切り替えることができる。そのため、第１外部電極４１と第１導通経路切替端子３１又は第２導通経路切替端子３２との接続、第２外部電極４２と第１導通経路切替端子３１又は第２導通経路切替端子３２との接続、第３外部電極４３と第３導通経路切替端子３３又は第４導通経路切替端子３４との接続、及び第４外部電極４４と第３導通経路切替端子３３又は第４導通経路切替端子３４との接続を外部から切替えるだけで、コモンモードチョークコイルとしてもノーマルモードチョークコイルとしても利用することができる。よって、例えば、まず、コモンモードチョークコイルとしてコモンモードノイズのノイズ低減効果を測定し、その後、接続を切替えてノーマルモードチョークコイルとしてノーマルモードノイズのノイズ低減効果を測定することができる。すなわち、部品（コモンモードチョークコイルとノーマルチョークコイル）を取り替えることなく、コモンモードノイズに対するノイズ低減効果、及びノーマルモードノイズに対するノイズ低減効果それぞれを簡易に比較することができ、適したノイズ対策部品を簡易に選択することが可能となる。
【００６１】
以上、本発明の実施の形態について説明したが、本発明は、上記実施形態に限定されるものではなく種々の変形が可能である。例えば、上記実施形態では、第１〜第４外部電極４１〜４４すべての接続状態を切替可能な構成としたが、例えば、第１外部電極４１及び第２外部電極４２のみ接続状態を切替可能な構成としてもよい。この場合には、第２巻き線２２の一方の端部は第３外部電極４３に直接接続され、第２巻き線２２の他方の端部は第４外部電極４４に直接接続される。よって、この場合、第３導通経路切替端子３３、第４導通経路切替端子３４、及びソケット６５〜６８は不要となる。
【００６２】
また、上記実施形態では、磁性体コア１０が、対をなして平行に配置された第１巻芯部１１及び第２巻芯部１２を備えており、第１巻芯部１１に第１巻き線２１が巻回され、第２巻芯部１２に第２巻き線２２が巻回されていたが、磁性体コア１０が、単一の巻芯部を備え、該単一の巻芯部に第１巻き線２１及び第２巻き線２２が巻回された構成とすることもできる。
【００６３】
上記実施形態では、両端部がピン状に形成された第１〜第４接続部材７１Ａ〜７４Ａ，Ｂを、凹状（又は円筒状）に形成されたソケット部６１〜６８に抜き差しすることにより接続を切り替えたが、接続部の形状は上記実施形態（ピン及びソケット）に限られることなく、他の形状を採用することもできる。例えば、上記ソケット部６１〜６８が凸部を有し、上記第１〜第４接続部材７１Ａ〜７４Ａ，Ｂが、該凸部と嵌合する凹部を有するようにすることもできる。
【００６４】
上記実施形態では、第１〜第４導通経路切替端子３１〜３４、第１〜第４外部電極４１〜４４、及びソケット部６１〜６８を第１，第２鍔部１３，１４に配置したが、鍔部以外に配置する構成としてもよい。
【００６５】
上記実施形態では、ソケット部６１〜６８が磁性板５０を貫通していたが、ソケット部６１〜６８は、必ずしも磁性板５０を貫通していなくてもよい。また、第１〜第４接続部材７１Ａ〜７４Ａ，Ｂは伸縮自在に形成されていてもよい。
【符号の説明】
【００６６】
１，２  ノイズ対策用チョークコイル
１０  磁性体コア
１１  第１巻芯部
１２  第２巻芯部
１３  第１鍔部
１４  第２鍔部
２１  第１巻き線
２２  第２巻き線
３１  第１導通経路切替端子
３２  第２導通経路切替端子
３３  第３導通経路切替端子
３４  第４導通経路切替端子
４１  第１外部電極
４２  第２外部電極
４３  第３外部電極
４４  第４外部電極
５０  磁性板
６１〜６８  ソケット部
７１Ａ  第１接続部材
７２Ａ  第２接続部材
７３Ａ，７３Ｂ  第３接続部材
７４Ａ，７４Ｂ  第４接続部材
【図１】
2016174104.tif 000003
【図２】
2016174104.tif 000004
【図３】
2016174104.tif 000005
【図４】
2016174104.tif 000006
【図５】
2016174104.tif 000007
【図６】
2016174104.tif 000008
【図７】
2016174104.tif 000009
【図８】
2016174104.tif 000010
【図９】
2016174104.tif 000011